(57)【要約】【課題】不快臭の原因となるブドウ球菌などの発生増殖を抑制し、特には白癬菌に対する優れた抗菌性を有すると共に、通気性および抗菌性を損なうことなく、靴のサイズに合わせてカットすることができるインソールを提供すること。【解決手段】インソール本体１１０が抗菌性低反発性発泡樹脂、例えばベース樹脂中にヨウ素複合体と高双極子能率を有する有機低分子材料とを含む抗菌性低反発性発泡樹脂からなり、このインソール本体１１０の少なくとも爪先部分１２０に通気孔１５０が設けられていると共に、踵部分１３０の縁に沿って間隔を置きながらサイズ合わせ用のカットライン１６０が複数本設けられていることを特徴とする。【選択図】    図１
2004275522.tif 000002
【特許請求の範囲】
【請求項１】
靴の中底の上に置かれるインソールであって、
インソール本体の少なくとも爪先部分に通気孔が設けられていると共に、踵部分の縁に沿って間隔を置きながらサイズ合わせ用のカットラインが複数本設けられていることを特徴とするインソール。
【請求項２】
インソール本体の爪先部分の通気孔が高密度となるように設けられていることを特徴とする請求項１記載のインソール。
【請求項３】
インソール本体が抗菌性低反発性発泡樹脂からなることを特徴とする請求項１または２記載のインソール。
【請求項４】
インソール本体がベース樹脂中にヨウ素複合体と高双極子能率を有する有機低分子材料とを含む抗菌性低反発性発泡樹脂からなることを特徴とする請求項３記載のインソール。
【発明の詳細な説明】
【０００１】
【発明の属する技術分野】
本発明は、通気性と衝撃吸収性とに優れると共に、通気性を損なうことなく、靴のサイズに合わせて容易にカットすることができるインソールに関する。特には抗菌性を有し、白癬菌などに対して優れた抗菌性が発揮されると共に、通気性および抗菌性を損なうことなく、靴のサイズに合わせてカットすることができるるようにしたインソールに関する。
【０００２】
【従来の技術】
従来より、インソールは靴の中底の上に置かれて使用されている。インソールは、歩行時の衝撃を和らげると共に、靴の中のむれによる不快感を抑えるという機能を持っている。
【０００３】
上記機能を持たせるため、従来より、インソール本体を衝撃吸収性を有する材料（低反発性材料）によって構成すると共に、該インソール本体に通気のための通気孔を設けたインソールが市販されている。
【０００４】
例えば通気のための通気孔を設けたインソールとしては、図６に示すように、インソール本体１を天然ヌメ革とコルクを重ねた二重構造とすることで、衝撃吸収性を良くし、インソール本体１のつま先部分２と踵部分３にそれぞれ横に並んだ三つの貫通孔４、５を数列配置することで、通気性を良好ならしめたものがある（例えば特許文献１参照）。
【０００５】
【特許文献１】
特開平７−１００００２号公報（請求項１、０００１、０００７、図１）
【０００６】
【発明が解決しようとする課題】
人の足の大きさは、人によってかなりの個人差があり、靴の大きさも同じく大小様々である。靴の中底の上に配置するインソールについても、使用者自身の足の大きさ、換言すれば靴の大きさに合わせて大きさ調整は必要であり、その大きさ調整が容易にできるように、インソールの爪先部分の縁に沿って間隔を置きながらサイズ合わせ用のカットラインを複数本設けたインソールが市販されている。
【０００７】
上記市販のインソールにおける、足の大きさに合わせて大きさ調整が容易にできるように、爪先部分の縁に沿って間隔を置きながらサイズ合わせ用のカットラインを複数本設けるという技術を、通気性を良好ならしめるため、インソール本体の爪先部分と踵部分に多数の貫通孔を配置したインソールに適用しようとした場合、例えば図７に示すような形態となる。
【０００８】
ところが、図７に示すインソールにあっては、足の大きさに合わせて大きさ調整のため、インソール本体１のカットライン６に沿って爪先部分２をカットしていくと、通気性を良好ならしめるための貫通孔４を配置した部分もカットされてしまい、十分な通気性が確保できないという不具合があった。
【０００９】
本発明は、通気性と衝撃吸収性とに優れると共に、通気性を損なうことなく、靴のサイズに合わせて容易にカットすることができるインソールを提供することを第１の目的としている。
【００１０】
また、日常使用している靴の内部の温度は約３０〜４０℃で、靴の内部の湿度は７０〜８０％といわれており、靴内は各種雑菌の生育に適した環境にあると言える。このような環境下では、ブドウ球菌等の細菌が発生増殖し、発生した雑菌により著しい悪臭を伴なうという問題があった。
【００１１】
本発明の第２の目的は、不快臭の原因となるブドウ球菌などの発生増殖を抑制し、特には白癬菌に対する優れた抗菌性を有すると共に、通気性および抗菌性を損なうことなく、靴のサイズに合わせてカットすることができるようにしたインソールを提供することである。
【００１２】
【課題を解決するための手段】
上記第１の目的を達成するため、本発明は、靴の中底の上に置かれるインソールであって、インソール本体の少なくとも爪先部分に通気孔が設けられていると共に、踵部分の縁に沿って間隔を置きながらサイズ合わせ用のカットラインが複数本設けられていることを特徴とするインソールをその要旨とした。
【００１３】
また、第２の目的を達成するため、本発明は、インソール本体が抗菌性低反発性発泡樹脂、例えばベース樹脂中にヨウ素複合体と高双極子能率を有する有機低分子材料とを含む抗菌性低反発性発泡樹脂からなり、このインソール本体の少なくとも爪先部分に通気孔が設けられていると共に、踵部分の縁に沿って間隔を置きながらサイズ合わせ用のカットラインが複数本設けられていることを特徴とするインソールをその要旨とした。
【００１４】
【発明の実施の形態】
以下、本発明のインソールを図面に示した一実施の形態に従って詳細に説明する。本発明のインソールは、足形形状に対応する形状となっていて、靴の中底の上に置かれる。本発明のインソールにおけるインソール本体としては、特に限定されないが、少なくとも歩行時の衝撃を和らげ得る衝撃吸収性（低反発性）と、靴の中のむれによる不快感を抑え得る通気性という機能を兼備しているものが望ましい。
【００１５】
衝撃吸収性（低反発性）と通気性とを兼備するインソール本体１１には、例えば、不織布、フェルト、織物、編物、あるいはこれらを組み合わせた複合繊維体、  ポリ塩化ビニル、ポリ塩化ビニリデン、塩化ビニル・塩化ビニリデン共重合体、ポリアクリル酸メチル、ポリメタクリル酸メチルなどのビニル系化合物、エチレン−酢酸ビニル共重合体、エチレン−塩化ビニル共重合体、エチレン−ビニルアルコール共重合体などのエチレンビニル系共重合体、低密度ポリエチレン、中密度ポリエチレン、高密度ポリエチレン、線状低密度ポリエチレン、ポリプロピレン、塩素化ポリエチレンなどのポリオレフィン、ポリスチレン、アクリロニトリル−スチレン共重合体、アクリロニトリル−ブタジエン−スチレン共重合体などのスチレン系樹脂、ナイロン６、ナイロン６−６、ナイロン６−１０、ナイロン１１、ナイロン１２等のポリアミド系樹脂、ポリエステル、ポリカーボネート、ポリアセタール、ポリフェニレンサルファイド、ポリエーテルエーテルケトン、ポリエーテルニトリル、変性ポリフェニレンエーテル、ポリエーテルサルホン、ポリサルホン、フッ素樹脂、ポリアリレート、ポリアミドイミド、ポリエーテルイミド、および熱可塑性ポリイミド、生分解樹脂の群から選ばれる１種若しくは２種以上の混合物、あるいは不飽和ポリエステル、エポキシ、フェノール、メラミン、ウレタン、およびケイ素樹脂のいずれか、またはこれらの混合物を素材とし、これらを従来公知の気泡発生手段、すなわち熱分解型発泡剤を用いた気泡発生手段、揮発性溶剤を用いた気泡発生手段、あるいは高圧下で不活性ガスを高分子中に吸収させ、常圧で発泡させる気泡発生手段等を用いて発泡成形することにより得られる低反発性発泡樹脂シート、
あるいは上記繊維基材と低反発性発泡樹脂シートとを組み合わせた複合体などからなるものを使用することができる。
【００１６】
また、衝撃吸収性（低反発性）と通気性に加え、抗菌性を兼備するインソール本体１１には抗菌性低反発性発泡樹脂からなるものを用いることができる。
【００１７】
抗菌性低反発性発泡樹脂としては、例えば上述の低反発性発泡樹脂をベース樹脂として、これに抗菌剤を含ませたものを挙げることができ、抗菌性および衝撃吸収性に優れるという点から、好ましくは上述のベース樹脂中にヨウ素複合体と高双極子能率を有する有機低分子材料とを含ませた抗菌性低反発性発泡樹脂からなるものを挙げることができる。
【００１８】
ヨウ素複合体と高双極子能率を有する有機低分子材料とを含む抗菌性低反発性発泡樹脂は、優れた衝撃吸収性を有していると共に、不快臭の原因となるブドウ球菌などの発生増殖を効果的に抑制する機能を持ち、特には白癬菌に対する優れた抗菌性を発揮するという効果を有している。
【００１９】
ヨウ素複合体としては、例えばヨウ素、ヨウ化ナトリウムまたはヨウ化カリウムなどの三ヨウ化物（ヨージド）を、ポリエーテルグリコール類、ポリアクリル酸類、ポリアミド類、ポリオキシアルキレン類、澱粉類、ポリビニルピロリドンおよびポリビニルアルコールなどのヨウ素担体に担持、吸蔵させて複合化したヨードホール、あるいは上記ヨードホールをゲスト分子として、これをα−シクロデキストリン、β−シクロデキストリン、γ−シクロデキストリン、またはサイクロシクロデキストリンなどのシクロデキストリン、ゼラチン、乳糖、カルボキシメチルセルロース、アラビアゴムなどの１種若しくは２種以上の混合物からなるホスト分子に包接させたヨウ素包接体などを挙げることができる。
【００２０】
尚、上記ヨウ素包接体は、ホスト分子とゲスト分子とが９９：１〜５０：５０の重量比で存在するように包接させたものが、十分な抗菌効果および熱的安定性を有する点で好ましい。また、上記ヨウ素包接体の中でも、シクロデキストリンをホスト分子としてヨードホールを包接したヨウ素包接体は、ヨウ素保持性に優れ、かつ熱的安定性および分散性に優れる点から好ましい。
【００２１】
上記ヨウ素複合体の有効ヨウ素量としては、十分な抗菌性を発揮できるという観点から、少なくとも５％、好ましくは５〜２０％の範囲が望ましい。
【００２２】
尚、いずれの種類のヨウ素複合体を用いるかは、要求される抗菌性の強弱および持続時間（例えば有効ヨウ素量、ヨウ素の単位時間あたりの放出量など）、製造時の温度や圧力、使用環境などを考慮して適宜決定するとよい。
【００２３】
ヨウ素複合体は、上記ベース樹脂１００重量部に対し０．１〜３０重量部の割合で含まれているのが望ましく、より好ましくは１〜２５重量部、最適には５〜２５重量部である。ヨウ素複合体の含有量が０．１重量部を下回るとき、十分な抗菌効果が得られない恐れがあり、含有量が３０重量部を越える場合には、抗菌効果が強すぎたり、ベース樹脂に均一に分散しなかったり、該成形物の機械的強度の低下を招いたりするなどの弊害を生じる恐れがある。
【００２４】
高双極子能率を有する有機低分子材料としては、例えばＮ、Ｎ−ジシクロヘキシルベンゾチアジル−２−スルフェンアミド（ＤＣＨＢＳＡ）、２−メルカプトベンゾチアゾール（ＭＢＴ）、ジベンゾチアジルスルフィド（ＭＢＴＳ）、Ｎ−シクロヘキシルベンゾチアジル−２−スルフェンアミド（ＣＢＳ）、Ｎ−ｔｅｒｔ−ブチルベンゾチアジル−２−スルフェンアミド（ＢＢＳ）、Ｎ−オキシジエチレンベンゾチアジル−２−スルフェンアミド（ＯＢＳ）、Ｎ、Ｎ−ジイソプロピルベンゾチアジル−２−スルフェンアミド（ＤＰＢＳ）などのベンゾチアジル基を持つ化合物、
ベンゼン環にアゾール基が結合したベンゾトリアゾールを母核とし、これにフェニル基が結合した２−｛２′−ハイドロキシ−３′−（３″，４″，５″，６″テトラハイドロフタリミデメチル）−５′−メチルフェニル｝−ベンゾトリアゾール（２ＨＰＭＭＢ）、２−｛２′−ハイドロキシ−５′−メチルフェニル｝−ベンゾトリアゾール（２ＨＭＰＢ）、２−｛２′−ハイドロキシ−３′−ｔ−ブチル−５′−メチルフェニル｝−５−クロロベンゾトリアゾール（２ＨＢＭＰＣＢ）、２−｛２′−ハイドロキシ−３′，５′−ジ−ｔ−ブチルフェニル｝−５−クロロベンゾトリアゾール（２ＨＤＢＰＣＢ）などのベンゾトリアゾール基を持つ化合物、
エチル−２−シアノ−３，３−ジ−フェニルアクリレートなどのジフェニルアクリレート基を持つ化合物、
あるいは２−ハイドロキシ−４−メトキシベンゾフェノン（ＨＭＢＰ）、２−ハイドロキシ−４−メトキシベンゾフェノン−５−スルフォニックアシド（ＨＭＢＰＳ）などのベンゾフェノン基を持つ化合物の中から選ばれた１種若しくは２種以上の混合物を挙げることができる。
【００２５】
上記高双極子能率を有する有機低分子材料は、ベース樹脂の成形温度を下げる働きがある。本発明者の実験によれば、例えばポリエチレンをベース樹脂としてこれを成形するとき、その成形温度は１２０〜１８０℃であるが、ベース樹脂中に有機低分子材料を含ませることで、その成形温度が１００〜１６０℃となることが確認された。
【００２６】
同様にポリプロピレンは、１４０〜１９０℃の成形温度が１２０〜１８０℃となり、ポリスチレンは、１６０〜２００℃の成形温度が１４０〜１８０℃となり、ポリアセタールは、２００〜２２０℃の成形温度が１６０〜２００℃となることが確認された。
【００２７】
このようにベース樹脂中に有機低分子材料を含ませることで、低温での成形が可能となるために、成形時にヨウ素が放出し、十分な有効ヨウ素量が確保できないという不具合が発生し難くなる。
【００２８】
また、高双極子能率を有する有機低分子材料は、これをベース樹脂中に含ませたとき、該成形物の衝撃吸収性を飛躍的に向上させる働きがある。
【００２９】
衝撃のエネルギーが加わる前、図３に示すようにベース樹脂１１内部における双極子１２の配置状態は安定な状態にある。ところが、図４に示すように、ベース樹脂１１に衝撃のエネルギーが加わることで、ベース樹脂１１内部の存在する双極子１２に変位が生じ、この結果、ベース樹脂１１内部における各双極子１２は不安定な状態に置かれることになり、各双極子１２は、図３に示す安定な状態に戻ろうとする。このとき、エネルギーの消費が生じるのである。
【００３０】
こうしたベース樹脂内部における双極子の変位、双極子の復元作用によるエネルギー消費を通じて、衝撃吸収性が生じているものと考えられる。このようなエネルギー消費のメカニズムから、ベース樹脂１１内部における双極子モーメントの量が、各性能に大きく関与していることが解る。本発明者らの実験によれば、ベース樹脂１１内部における双極子モーメント量が大きければ大きい程、そのベース樹脂１１の衝撃吸収性が高くなることが解った。
【００３１】
上述した高双極子能率を有する有機低分子材料は、ベース樹脂における双極子モーメントの量を飛躍的に増加させる機能を有しており、これをベース樹脂中に含ませることで、図５に示すように、ベース樹脂における双極子モーメントの量は同じ条件の下で３倍とか、１０倍とかいった量に増加することになる。これに伴って、前述のエネルギーが加わったときの双極子の復元作用によるエネルギー消費量も飛躍的に増大することになり、この結果、予測を遥かに超えた衝撃吸収性が生じることになると考えられる。
【００３２】
高双極子能率を有する有機低分子材料のベース樹脂の成形温度を下げ、かつ該成形物の衝撃吸収性を飛躍的に向上させるという効果は、ベース樹脂およびこれに配合される有機低分子材料の種類により、該成形物に加わるエネルギーの大小により、さらに用途や使用状態により、変動を生じるものの、ベース樹脂１００重量部に対し、有機低分子材料の含有量を１〜１００重量部の割合とすることで、一定の効果が得ることができる。
【００３３】
尚、有機低分子材料の含有量が、上記範囲外の場合、上記２つの効果が得られないだけではなく、十分な抗菌性が得られなくなったり、該成形物の機械的強度が低下したりするなどの弊害を生じる恐れがある。
【００３４】
本発明のインソールは、このように構成されるインソール本体の少なくとも爪先部分に通気孔が設けられていると共に、踵部分の縁に沿って間隔を置きながらサイズ合わせ用のカットラインが複数本設けられていることを特徴としている。
【００３５】
図１に示すインソールにおいて、インソール本体１１０は、爪先部分１２０と踵部分１３０と土踏まず部分１４０の３つの部分からなり、前記爪先部分１２０と土踏まず部分１４０に通気孔１５０が設けられている。
【００３６】
通気孔１５０はインソール本体１１０の表裏を貫通する貫通孔であり、この通気孔１５０を通して空気の出入りがなされて、足裏の蒸れが防止できるようになっている。
【００３７】
インソール本体１１０の爪先部分１２０と土踏まず部分１４０には、それぞれ足の爪先と土踏まずの部分が当たる。足の裏、特に爪先部分は、指と指との間に汗が溜まり易く、蒸れやすい場所であることから、この部分に多数の通気孔１５０を設けることで、通気性が良好となり、蒸れが効果的に解消できるのである。
【００３８】
また、インソール本体１１０を抗菌性低反発性発泡樹脂により構成したときには、爪先部分１２０や土踏まず部分１４０に設けた通気孔１５０を通して、抗菌性低反発性発泡樹脂中の抗菌剤（例えばヨウ素）が放出し、不快臭の原因となるブドウ球菌などの発生増殖が効果的に抑制されることになる。
【００３９】
一方、インソール本体１１０の踵部分１３０には、踵部分１３０の縁に沿って間隔を置きながらサイズ合わせ用のカットライン１６０が複数本設けられている。このカットライン１６０は、靴のサイズ（足のサイズ）に合わせてインソールをカットするときの目安となるものであり、靴のサイズ（足のサイズ）に対応するカットライン１６０を選択し、そのカットライン１６０に沿ってカットすることで、簡単にしかも正確にインソールの大きさを調整できるようになっている。
【００４０】
カットライン１６０としては、例えばインソール本体１１０の踵部分１３０表面に印刷を施して設けたもの、インソール本体１１０の踵部分１３０表面にエンボス加工によって形成した凹凸部分からなるものなど、目で確認できるものであれば何でも良い。
【００４１】
このようにサイズ合わせ用のカットライン１６０を踵部分１３０に設けたことにより、該カットライン１６０に沿ってインソール本体１１０をカットして、インソールの大きさを調整するとき、インソール本体１１０の爪先部分１２０と土踏まず部分１４０に設けた足裏の蒸れが防止する通気孔１５０、特に爪先部分１２０に設けた通気孔１５０は切り落とされないため、該インソールの通気が確保され、蒸れ防止効果が損なわれることはない。
【００４２】
図２に示すインソールは、インソール本体１１０全体に通気孔１５０が設けられており、インソール本体１１０の爪先部分１２０について通気孔１５０を高密度としたものである。
【００４３】
前述したとおり、爪先部分１２０は、指と指との間に汗が溜まり易く、蒸れやすい場所であることから、この部分に高密度に通気孔１５０を設けることで、通気性がより良好となり、蒸れがより効果的に解消できるのである。
【００４４】
また、インソール本体１１０を抗菌性低反発性発泡樹脂により構成したときには、爪先部分１２０に高密度に設けた通気孔１５０を通して、抗菌性低反発性発泡樹脂中の抗菌剤（例えばヨウ素）がより多く放出し、不快臭の原因となるブドウ球菌などの発生増殖がより効果的に抑制されることになる。
【００４５】
尚、本発明は、上記実施例に限定されるものではなく、「特許請求の範囲」に記載された範囲で自由に変更して実施することができる。
【００４６】
【発明の効果】
本発明のインソールにあっては、インソール本体の少なくとも爪先部分に通気孔が設けられていると共に、踵部分の縁に沿って間隔を置きながらサイズ合わせ用のカットラインが複数本設けられていることから、通気性と衝撃吸収性とに優れると共に、通気性を損なうことなく、靴のサイズに合わせて容易にカットすることができる。
【００４７】
また、本発明のインソールにおいて、インソール本体に抗菌性低反発性発泡樹脂、例えばベース樹脂中にヨウ素複合体と高双極子能率を有する有機低分子材料とを含む抗菌性低反発性発泡樹脂からなるものを用いた場合には、不快臭の原因となるブドウ球菌などの発生増殖を抑制し、特には白癬菌に対する優れた抗菌性を有すると共に、通気性および抗菌性を損なうことなく、靴のサイズに合わせてカットすることができる。
【図面の簡単な説明】
【図１】本発明のインソールを示した拡大平面図。
【図２】本発明のインソールの別例を示した拡大平面図。
【図３】ベース樹脂における双極子の状態を示した模式図。
【図４】エネルギーが加わったときのベース樹脂における双極子の状態を示した模式図。
【図５】ヨウ素複合体と高双極子能率を有する有機低分子材料とを含むベース樹脂における双極子の状態を示した模式図。
【図６】従来のインソールを示した斜視図。
【図７】従来のインソールにサイズ合わせ用のカットラインを設けた例を示した拡大平面図。
【符号の説明】
１１０・・・インソール本体
１２０・・・爪先部分
１３０・・・踵部分
１４０・・・土踏まず部分
１５０・・・通気孔
１６０・・・カットライン
【図１】
2004275522.tif 000003
【図２】
2004275522.tif 000004
【図３】
2004275522.tif 000005
【図４】
2004275522.tif 000006
【図５】
2004275522.tif 000007
【図６】
2004275522.tif 000008
【図７】
2004275522.tif 000009